(57)【要約】【課題】外力が加わってもコネクタの容易な破損を防止でき、どのようなケーブルに対しても均一の保持力を有し、ケーブルの脱落を防止できるケーブルの脱落防止構造を提供すること。【解決手段】ケーブルの脱落防止構造１は、基板１１から、基板１１に対する外部出力用のケーブル１０の脱落を防止する。ケーブルの脱落防止構造１は、ケーブル１０と接続するケーブル側接続部２１と、基板１１に直接または間接に配設され、ケーブル側コネクタ２１を自身の平面２２ａに当接させる平板状の固定具２２と、平面２２ａに当接されているケーブル１０を平面２２ａの一端２２ｂ側にて固定し、固定具２２に配設されるバンド状の固定部材であるバンド部材２３と、基板１１に配設され、ケーブル側接続部と接続する基板側接続部２５と、を具備する。【選択図】      図１
2010153249.tif 000002
【特許請求の範囲】
【請求項１】
基板から、前記基板に対する外部出力用のケーブルの脱落を防止するケーブルの脱落防止構造であって、
前記ケーブルと接続するケーブル側接続部と、
前記基板に直接または間接に配設され、前記ケーブル側コネクタを自身の平面に当接させる平板状の固定具と、
前記基板に配設され、前記ケーブル側接続部と接続する基板側接続部と、
を具備することを特徴とするケーブルの脱落防止構造。
【発明の詳細な説明】
【技術分野】
【０００１】
本発明は、電子機器の回路に対する外部出力用のケーブルの脱落を防止するケーブルの脱落防止構造に関する。
【背景技術】
【０００２】
一般に、電子機器に使用されている基板にはパネルが配設されており、パネルには外部出力用のケーブルを保持し、ケーブルを基板に接続するコネクタが配設されている。
【０００３】
またパネルが基板に簡単に配設できない場合、基板には、コネクタを保持するハンドルが配設されている。このハンドルには、コネクタを介してケーブルの保持及び基板からのケーブルの脱落を防止するケーブルの脱落防止構造が配設されている。
【０００４】
なお例えば特許文献１には、コンピュータシステムの主制御装置と操作、表示の各端末装置とを接続するケーブルにおいて、不要輻射ノイズの発生を、容易に、かつ、安価に防止できるケーブルの接地方法が開示されている。
【特許文献１】特開平０８−２７３７１１号公報
【発明の開示】
【発明が解決しようとする課題】
【０００５】
上述したコネクタにおいて、外力が例えばケーブルの長手軸方向と、この長手軸方向に垂直な径方向とに対してケーブルに加わると、コネクタ（ケーブルの脱落防止構造）はケーブルを放してしまう虞が生じる。またコネクタは、長手軸方向と径方向とに加わる外力に対して、ケーブルがパネルに直接配設されるよりも強度的に弱い。また外力が長手軸方向と径方向とに加わると、コネクタは破損してしまう虞が生じる。そのためこのようなコネクタにおいて、ケーブルはコネクタから脱落してしまう虞が生じる。
【０００６】
またケーブルの脱落防止構造はコネクタの種類に応じて異なるため、ケーブルを保持する保持力はコネクタによってばらつきが生じ、ケーブルよって保持力にばらつきが生じてしまう。
【０００７】
そのため本発明は、上記事情に鑑み、外力が加わってもコネクタの容易な破損を防止でき、どのようなケーブルに対しても均一の保持力を有し、ケーブルの脱落を防止できるケーブルの脱落防止構造を提供することを目的とする。
【課題を解決するための手段】
【０００８】
本発明は目的を達成するために、基板から、前記基板に対する外部出力用のケーブルの脱落を防止するケーブルの脱落防止構造であって、前記ケーブルと接続するケーブル側接続部と、前記基板に直接または間接に配設され、前記ケーブル側コネクタを自身の平面に当接させる平板状の固定具と、前記基板に配設され、前記ケーブル側接続部と接続する基板側接続部と、を具備することを特徴とするケーブルの脱落防止構造を提供する。
【０００９】
また本発明は目的を達成するために、前記固定具は、前記平面を貫通する２つの貫通口を前記一端にて有し、前記バンド部材は、前記貫通口を挿通した際に前記ケーブルを前記平面に締め付け、前記ケーブルを前記平面に固定することを特徴とする上記に記載のケーブルの脱落防止構造を提供する。
【００１０】
また本発明は目的を達成するために、前記基板に配設されているパネルと、前記パネルに配設され、前記固定具を前記パネルに配設するように支持する支持部と、を具備し、前記固定具は、前記支持部と前記パネルを介して間接的に基板に配設されていることを特徴とする上記に記載のケーブルの脱落防止構造を提供する。
【発明の効果】
【００１１】
本発明によれば、外力が加わってもコネクタの容易な破損を防止でき、どのようなケーブルに対しても均一の保持力を有し、ケーブルの脱落を防止できるケーブルの脱落防止構造を提供することができる。
【発明を実施するための最良の形態】
【００１２】
以下、図面を参照して本発明の実施形態について詳細に説明する。図１と図２と図３Ａと図３Ｂとを参照して第１の実施形態について説明する。図１は、本実施形態におけるケーブルの脱落防止構造の斜視図である。図２は、図１をケーブル側から見た際の第１の実施形態におけるケーブルの脱落防止構造の斜視図である。図３Ａは、本実施形態における固定具の正面図である。図３Ｂは、本実施形態における固定具の側面図である。
【００１３】
図１と図２とに示すようにケーブル１０の脱落防止構造１は、電子機器の回路等である基板１１からのケーブル１０の脱落を防止する。本実施形態では、基板１１にはパネル１２が配設されており、脱落防止構造１はパネル１２を介して基板１１からのケーブル１０の脱落を防止する。このケーブル１０は、基板１１に対する外部出力用のケーブルである。パネル１２は、ケーブル１０を保持し、ケーブル１０を基板１１に接続する。パネル１２には、開口部１３が配設されている。脱落防止構造１は、この開口部１３に配設されている。
【００１４】
脱落防止構造１は、ケーブル１０と接続するケーブル側接続部であるケーブル側コネクタ２１と、ケーブル側コネクタ２１を自身の平面２２ａにて当接（保持）させ、ケーブル側コネクタ２１を平面２２ａに固定する金属製且つ平板状の固定部材である固定具２２と、パネル１２に配設され、固定具２２をパネル１２に配設するように支持する支持部２４と、基板１１に配設され、ケーブル側コネクタ２１と接続する基板側接続部である基板側コネクタ２５とを有している。
【００１５】
また脱落防止構造１は、ケーブル側コネクタ２１に当接されているケーブル１０を平面２２ａの一端２２ｂ側に固定し、固定具２２に配設されるバンド（帯）状の固定部材であるバンド部材２３を有している。
【００１６】
図１と図２とに示すようにケーブル側コネクタ２１と固定具２２とは、開口部１３を挿通するように配設されている。
【００１７】
固定具２２は、支持部２４によってパネル１２に配設され、つまり支持部２４とパネル１２とを介して基板１１に間接的に配設されている。
【００１８】
平面２２ａは、例えば長方形形状である。この平面２２ａには、ケーブル１０が配置されている。一端２２ｂには、図１と図３Ａとに示すように平面２２ａを貫通する２つの貫通口２２ｄが配設されている。つまり固定具２２は、平面２２ａを貫通する２つの貫通口２２ｄを一端２２ｂにて有している。貫通口２２ｄは、ケーブル１０（平面２２ａ）の長手軸方向に直交する方向（平面２２ａの幅方向）に沿って互いに所望な距離離れて配設されている。２つの貫通口２２ｄには、バンド部材２３が挿通する。
【００１９】
バンド部材２３は、図１と図２とに示すように貫通口２２ｄを挿通した際にケーブル１０を平面２２ａに締め付け、ケーブル１０を平面２２ａに固定する。
【００２０】
図１と図２と図３Ａとに示すように他端２２ｃ側は階段形状となっており、平面２２ａには他端２２ｃ側にて平面２２ｆが連接されている。この平面２２ｆには、図３Ａに示すように２つの開口部２２ｅが配設されている。開口部２２ｅは、ケーブル１０の長手軸方向に直交する方向（貫通口２２ｄの配設されている方向）に沿って互いに所望な距離離れて配設されている。開口部２２ｅには、固定具２２を支持部２４に固定するための例えば螺子などの固定部材２６が挿通する。固定部材２６は、開口部２２ｅを挿通し支持部２４と係合する。
【００２１】
支持部２４は、図示しないネジなどによってパネル１２に固定されている。
【００２２】
次に本実施形態の動作方法について説明する。  
固定部材２６が開口部２２ｅを挿通し支持部２４と係合すると、固定具２２は、平面２２ｆを介して支持部２４によって支持される。これにより固定具２２は、支持部２４を介してパネル１２に配設される（Ｓｔｅｐ１）。
【００２３】
ケーブル１０は、ケーブル側コネクタ２１と接続する（Ｓｔｅｐ２）。
【００２４】
ケーブル側コネクタ２１は、平面２２ａに当接した状態で、基板側コネクタ２５と接続する。このときケーブル１０は、平面２２ａに当接し、ケーブル側コネクタ２１によって保持される（Ｓｔｅｐ３）。
【００２５】
次にバンド部材２３は、貫通口２２ｄを挿通し、ケーブル１０を平面２２ａに締め付け、ケーブル１０を平面２２ａに固定する（Ｓｔｅｐ４）。
【００２６】
外力が、ケーブル１０の長手軸方向（平面２２ａの長手軸方向）と、この長手軸方向に直交する方向（固定具２２の幅方向である垂直な方向）と、平面２２ａの長手軸方向と幅方向とに直交する方向とに対して加わると、ケーブル１０はケーブル側コネクタ２１によって保持されているために及びバンド部材２３によって平面２２ａに固定されているために、ケーブル１０はケーブル側コネクタ２１からの脱落を防止される。また外力がケーブル１０に加わっても、ケーブル１０はバンド部材２３によって平面２２ａに固定されているために、ケーブル１０はケーブル側コネクタ２１からずれず、ケーブル側コネクタ２１は容易な破損を防止される。
【００２７】
またバンド部材２３は、様々な径を有するケーブル１０に対してもケーブル１０を平面２２ａに固定するために、脱落防止構造１はどのようなケーブル１０に対しても均一の保持力を有していることとなる。
【００２８】
このように本実施形態では、ケーブル１０に外力が上述した方向に加わっても、バンド部材２３によってケーブル１０を平面２２ａに固定するために、ケーブル側コネクタ２１の容易な破損を防止でき、どのようなケーブル１０に対しても均一の保持力を有すことができ、ケーブル１０の脱落を防止できる。
【００２９】
また本実施形態では、ケーブル１０の脱落を防止できるために、ケーブル側コネクタ２１の破損を防止でき、基板１１とパネル１２との破損を防止することができる。
【００３０】
なお本実施形態では、固定具２２を支持部２４によってパネル１２に配設し、固定具２２を支持部２４とパネル１２を介して基板１１に間接的に配設したがこれに限定する必要はない。本実施形態では、固定具２２を、支持部２４を用いずにパネル１２が配設されていない基板１１に直接配設しても、上述した効果を得ることができる。
【００３１】
また本実施形態では、動作方法におけるＳｔｅｐ１乃至Ｓｔｅｐ４の順番は特に限定されない。
【００３２】
このように本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図面の簡単な説明】
【００３３】
【図１】図１は、第１の実施形態におけるケーブルの脱落防止構造の斜視図である。
【図２】図２は、図１をケーブル側から見た際の第１の実施形態におけるケーブルの脱落防止構造の斜視図である。
【図３Ａ】図３Ａは、固定具の正面図である。
【図３Ｂ】図３Ｂは、固定具の側面図である。
【符号の説明】
【００３４】
１…脱落防止構造、１０…ケーブル、１１…基板、１２…パネル、１３…開口部、２１…ケーブル側コネクタ（ケーブル側接続部）、２２…固定具（固定部材）、２２ａ…平面、２２ｂ…一端、２２ｃ…他端、２２ｄ…貫通口、２２ｆ…平面、２２ｅ…開口部、２３…バンド部材（固定部材）、２４…支持部、２５…基板側コネクタ（基板側接続部）、２６…固定部材。
【図１】
2010153249.tif 000003
【図２】
2010153249.tif 000004
【図３Ａ】
2010153249.tif 000005
【図３Ｂ】
2010153249.tif 000006